(57)【要約】【課題】昇圧用のＤＣ−ＤＣコンバータの電圧制御可能な範囲を超える電力が太陽電池で発電されている場合でも、太陽電池の最大電力点で動作させる。【解決手段】ＤＣ−ＤＣコンバータ１１は、太陽電池２から供給される直流電力を別の電圧の直流電力に変換し、当該直流電力を直流バス３０に出力する。インバータ２１は、直流バス３０から入力される直流電力を交流電力に変換し、当該交流電力を系統３に出力する。制御部１２、２２は、太陽電池２の出力電力が最大になるようＤＣ−ＤＣコンバータ１１を制御するとともに、直流バス３０の電圧が目標電圧を維持するようインバータ２１を制御する。制御部１２、２２は、太陽電池２の動作点電圧が、直流バス３０の予め設定された目標電圧より高い場合、直流バス３０の目標電圧として前記動作点電圧を使用する。【選択図】図１
2017175826.tif 000002
【特許請求の範囲】
【請求項１】
太陽電池から供給される直流電力を別の電圧の直流電力に変換し、当該直流電力を直流バスに出力するＤＣ−ＤＣコンバータと、
前記直流バスから入力される直流電力を交流電力に変換し、当該交流電力を系統に出力するインバータと、
前記太陽電池の出力電力が最大になるよう前記ＤＣ−ＤＣコンバータを制御するとともに、前記直流バスの電圧が目標電圧を維持するよう前記インバータを制御する制御部と、を備え、
前記制御部は、前記太陽電池の動作点電圧が、前記直流バスの予め設定された目標電圧より高い場合、前記直流バスの目標電圧として前記動作点電圧を使用することを特徴とする電力変換システム。
【請求項２】
前記太陽電池は、複数の太陽電池ストリングを有し、
前記ＤＣ−ＤＣコンバータは、入力側が前記複数の太陽電池ストリングにそれぞれ接続され、出力側が前記直流バスに共通に接続された複数のＤＣ−ＤＣコンバータを有し、
前記制御部は、前記太陽電池ストリングの動作点電圧の内、前記直流バスの予め設定された目標電圧より高い動作点電圧が複数ある場合、当該複数の動作点電圧のうち最も高い動作点電圧を前記直流バスの目標電圧として使用することを特徴とする請求項１に記載の電力変換システム。
【請求項３】
前記制御部は、前記太陽電池ストリングの動作点電圧の内、前記直流バスの予め設定された目標電圧より高い動作点電圧がある場合、少なくとも１つのＤＣ−ＤＣコンバータの昇圧動作を停止させることを特徴とする請求項２に記載の電力変換システム。
【請求項４】
第１電力変換装置と第２電力変換装置を備える電力変換システムであって、
前記第１電力変換装置は、
太陽電池から供給される直流電力を別の電圧の直流電力に変換し、当該直流電力を直流バスに出力するＤＣ−ＤＣコンバータと、
前記太陽電池の出力電力が最大になるよう前記ＤＣ−ＤＣコンバータを制御する第１制御部と、を有し、
前記第２電力変換装置は、
前記直流バスから入力される直流電力を交流電力に変換し、当該交流電力を系統に出力するインバータと、
前記直流バスの電圧が目標電圧を維持するよう前記インバータを制御する第２制御部と、を有し、
前記第１電力変換装置の第１制御部と前記第２電力変換装置の第２制御部との間は通信線で接続されており、
前記第２制御部は、前記太陽電池の動作点電圧が、前記直流バスの予め設定された目標電圧より高い場合、前記直流バスの目標電圧として前記動作点電圧を使用することを特徴とする電力変換システム。
【請求項５】
前記第１制御部は、前記太陽電池の動作点電圧と、前記直流バスの予め設定された目標電圧とを比較し、当該動作点電圧が当該目標電圧より高い場合、当該動作点電圧を前記第２制御部に通知することを特徴とする請求項４に記載の電力変換システム。
【請求項６】
前記第１制御部は、前記太陽電池の動作点電圧を前記第２制御部に通知し、
前記第２制御部は、前記第１制御部から取得した動作点電圧と、前記直流バスの予め設定された目標電圧とを比較することを特徴とする請求項４に記載の電力変換システム。
【請求項７】
前記第１制御部は、前記太陽電池の動作点電圧が、前記直流バスの予め設定された目標電圧より高い場合、前記ＤＣ−ＤＣコンバータの昇圧動作を停止させることを特徴とする請求項５または６に記載の電力変換システム。
【請求項８】
太陽電池から供給される直流電力を別の電圧の直流電力に変換し、当該直流電力を直流バスに出力するＤＣ−ＤＣコンバータと、
前記直流バスから入力される直流電力を交流電力に変換し、当該交流電力を系統に出力するインバータと、
前記太陽電池の出力電力が最大になるよう前記ＤＣ−ＤＣコンバータを制御するとともに、前記直流バスの電圧が目標電圧を維持するよう前記インバータを制御する制御部と、を備え、
前記制御部は、前記太陽電池の動作点電圧が、前記直流バスの予め設定された目標電圧より高い場合、前記インバータの出力電力が最大になるよう前記直流バスの目標電圧を決定することを特徴とする電力変換システム。
【請求項９】
太陽電池から供給される直流電力を別の電圧の直流電力に変換し、当該直流電力を直流バスに出力する第１ＤＣ−ＤＣコンバータと、
蓄電部と前記直流バスの間に接続され、前記蓄電部を充放電する第２ＤＣ−ＤＣコンバータと、
前記直流バスから入力される直流電力を交流電力に変換し、当該交流電力を系統に出力するインバータと、
前記太陽電池の出力電力が最大になるよう前記ＤＣ−ＤＣコンバータを制御するとともに、前記直流バスの電圧が目標電圧を維持するよう前記インバータを制御する制御部と、を備え、
前記制御部は、前記太陽電池の動作点電圧が、前記直流バスの予め設定された目標電圧より高い場合、前記インバータの出力電力、または前記インバータの出力電力と前記蓄電部の充電電力の和が最大になるよう前記直流バスの目標電圧を決定することを特徴とする電力変換システム。
【請求項１０】
直流バスから入力される直流電力を交流電力に変換し、当該交流電力を系統に出力するインバータを有する第２電力変換装置と接続される第１電力変換装置であって、
太陽電池から供給される直流電力を別の電圧の直流電力に変換し、当該直流電力を前記直流バスに出力するＤＣ−ＤＣコンバータと、
前記太陽電池の出力電力が最大になるよう前記ＤＣ−ＤＣコンバータを制御する第１制御部と、を備え、
前記第１制御部は、
前記直流バスの電圧が目標電圧を維持するよう前記インバータを制御し、前記太陽電池の動作点電圧が、前記直流バスの予め設定された目標電圧より高い場合、前記直流バスの目標電圧として前記動作点電圧を使用する、前記第２電力変換装置の第２制御部と通信線で接続されることを特徴とする電力変換装置。
【請求項１１】
太陽電池から供給される直流電力を別の電圧の直流電力に変換し、当該直流電力を直流バスに出力するＤＣ−ＤＣコンバータと、前記太陽電池の出力電力が最大になるよう前記ＤＣ−ＤＣコンバータを制御する第１制御部と、を有する第１電力変換装置に接続される第２電力変換装置であって、
前記直流バスから入力される直流電力を交流電力に変換し、当該交流電力を系統に出力するインバータと、
前記直流バスの電圧が目標電圧を維持するよう前記インバータを制御する第２制御部と、を備え、
前記第２電力変換装置の第２制御部は、前記第１電力変換装置の第１制御部と通信線で接続され、
前記第２制御部は、前記太陽電池の動作点電圧が、前記直流バスの予め設定された目標電圧より高い場合、前記直流バスの目標電圧として前記動作点電圧を使用することを特徴とする電力変換装置。
【発明の詳細な説明】
【技術分野】
【０００１】
本発明は、太陽電池で発電された直流電力を交流電力に変換する電力変換システム、電力変換装置に関する。
【背景技術】
【０００２】
従来より、太陽電池の発電電力を最大限に取得するための制御として、ＭＰＰＴ (Maximum Power Point Tracking) 制御が良く利用されている。ＭＰＰＴ制御は、太陽電池の動作電圧（出力電圧）を所定のステップ幅で変動させ、太陽電池の最大電力点を探索する制御である。ＭＰＰＴ制御は通常、太陽電池とインバータの間に設けられる昇圧回路により実行され、最大電力点の発電電力が直流バスを介してインバータに出力される。インバータは、直流バスを介して入力される発電電力（直流電力）を交流電力に変換して商用電力系統（以下単に、系統という）に出力する（例えば、特許文献１参照）。
【０００３】
インバータは、直流バスの電圧が系統の電圧より高くなるように、当該直流バスの電圧を制御して系統に電力を出力する。この際、直流バスの電圧が系統の電圧に近いほど変換損失を小さくできる。
【先行技術文献】
【特許文献】
【０００４】
【特許文献１】特開２０１３−９０３６４号公報
【発明の概要】
【発明が解決しようとする課題】
【０００５】
近年、太陽電池パネルの性能が向上してきており、最大電力点の動作電圧が高いパネルも市販されている。これに伴い、太陽電池の最大電力点の動作電圧が、昇圧回路の電圧制御可能な範囲を超えるケースが発生している。この場合、昇圧回路で太陽電池の動作点を制御することが困難になる。
【０００６】
本発明はこうした状況に鑑みなされたものであり、その目的は、昇圧用のＤＣ−ＤＣコンバータの電圧制御可能な範囲を超える電力が太陽電池で発電されている場合でも、太陽電池の最大電力点で動作させることができる電力変換システム、電力変換装置を提供することにある。
【課題を解決するための手段】
【０００７】
上記課題を解決するために、本発明のある態様の電力変換システムは、太陽電池から供給される直流電力を別の電圧の直流電力に変換し、当該直流電力を直流バスに出力するＤＣ−ＤＣコンバータと、前記直流バスから入力される直流電力を交流電力に変換し、当該交流電力を系統に出力するインバータと、前記太陽電池の出力電力が最大になるよう前記ＤＣ−ＤＣコンバータを制御するとともに、前記直流バスの電圧が目標電圧を維持するよう前記インバータを制御する制御部と、を備える。前記制御部は、前記太陽電池の動作点電圧が、前記直流バスの予め設定された目標電圧より高い場合、前記直流バスの目標電圧として前記動作点電圧を使用する。
【発明の効果】
【０００８】
本発明によれば、昇圧用のＤＣ−ＤＣコンバータの電圧制御可能な範囲を超える電力が太陽電池で発電されている場合でも、太陽電池の最大電力点で動作させることができる。
【図面の簡単な説明】
【０００９】
【図１】本発明の実施の形態１に係る電力変換システムを説明するための図である。
【図２】実施の形態１に係る太陽電池のＰ−Ｖ特性の一例を示す図である。
【図３】実施の形態１の実施例１に係るＤＣ−ＤＣコンバータ及びインバータの制御方法を示すフローチャートである。
【図４】実施の形態１の実施例２に係るＤＣ−ＤＣコンバータ及びインバータの制御方法を示すフローチャートである。
【図５】本発明の実施の形態２に係る電力変換システムを説明するための図である。
【図６】実施の形態２に係る複数の太陽電池ストリングのＰ−Ｖ特性の一例を示す図である。
【図７】実施の形態２の実施例１に係るＤＣ−ＤＣコンバータ及びインバータの制御方法を示すフローチャートである。
【図８】実施の形態２の実施例２に係るＤＣ−ＤＣコンバータ及びインバータの制御方法を示すフローチャートである。
【図９】実施の形態２の変形例に係るＤＣ−ＤＣコンバータ及びインバータの制御方法を示すフローチャートである。
【図１０】本発明の実施の形態３に係る電力変換システムを説明するための図である。
【図１１】一体型の電力変換システムの一例を示す図である。
【発明を実施するための形態】
【００１０】
図１は、本発明の実施の形態１に係る電力変換システム１を説明するための図である。実施の形態１は太陽電池が集中型で構成される例である。図１の太陽電池２は、複数の太陽電池パネルと、複数の太陽電池パネルの出力を１系統に接続する接続箱の総称である。また実施の形態１では太陽電池２で発電された電力を別の電圧の電力に変換するＤＣ−ＤＣコンバータと、別の電圧に変換された直流電力を交流電力に変換するインバータを別の筐体に設置する例を示す。両者を別の筐体に設置することにより、個々の筐体を小型化することができ、設置の柔軟性が向上する。例えば、両者を離れた位置に設置することも可能である。また、新たな太陽電池や蓄電池の増設が容易である。
【００１１】
実施の形態１に係る電力変換システム１は、第１電力変換装置１０及び第２電力変換装置２０を備え、両者は直流バス３０で接続される。第１電力変換装置１０はＤＣ−ＤＣコンバータ１１及び第１制御部１２を含み、第２電力変換装置２０はインバータ２１及び第２制御部２２を含む。
【００１２】
ＤＣ−ＤＣコンバータ１１は、太陽電池２から供給される直流電力を別の電圧の直流電力に変換し、当該直流電力を直流バス３０に出力する。ＤＣ−ＤＣコンバータ１１は例えば、昇圧チョッパで構成することができる。
【００１３】
第１制御部１２は、太陽電池２の出力電力が最大になるようＤＣ−ＤＣコンバータ１１を制御する。第１制御部１２は、入力電流・電圧検出部１２１、ＭＰＰＴ制御部１２２、第１バス電圧検出部１２３、第１通信部１２４、第１電圧指令値決定部１２５及び第１駆動部１２６を含む。第１制御部１２の構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００１４】
入力電流・電圧検出部１２１は、太陽電池２の出力電流および出力電圧である、ＤＣ−ＤＣコンバータ１１の入力電流および入力電圧を検出する。ＭＰＰＴ制御部１２２は、検出された入力電流および入力電圧をもとに計測された太陽電池２の発電電力が最大電力点（最適動作点）となるよう制御する。具体的には山登り法に従い動作点電圧を所定のステップ幅で変化させて最大電力点を探索し、太陽電池２の出力電力が最大電力点を維持するよう制御する。
【００１５】
第１バス電圧検出部１２３は、直流バス３０の電圧を検出して第１電圧指令値決定部１２５に出力する。第１通信部１２４は、第２電力変換装置２０の第２通信部２２４と通信する。第１制御部１２の第１通信部１２４と第２制御部２２の第２通信部２２４間は通信線４０で接続される。例えばＲＳ−４８５規格に対応したケーブルで接続され、当該規格に準拠した通信方式に従いシリアル通信する。
【００１６】
第１電圧指令値決定部１２５は、ＭＰＰＴ制御部１２２から供給される動作点電圧と、第１バス電圧検出部１２３により検出される直流バス電圧との差分をもとに電圧指令値を生成し、第１駆動部１２６に出力する。第１駆動部１２６は当該電圧指令値をもとに駆動信号を生成し、ＤＣ−ＤＣコンバータ１１のデューティ制御用のスイッチング素子を駆動する。スイッチング素子には例えば、ＩＧＢＴ（Insulated Gate Bipolar Transistor）又はＭＯＳＦＥＴ（Metal-Oxide-Semiconductor Field-Effect Transistor)を使用することができる。第１駆動部１２６は例えば、当該電圧指令値と搬送波（三角波）を比較するコンパレータを含み、当該コンパレータは、当該電圧指令値と搬送波の比較結果に応じたＰＷＭ信号を駆動信号として上記スイッチング素子のゲート端子に出力する。
【００１７】
インバータ２１は、直流バス３０から入力される直流電力を交流電力に変換し、当該交流電力を系統３に出力する。インバータ２１は例えば、４つのスイッチング素子をブリッジ接続したブリッジ回路を含む。当該スイッチング素子のデューティを制御することにより、インバータ２１の出力を調整することができる。
【００１８】
第２制御部２２は、直流バス３０の電圧が目標電圧を維持するようインバータ２１を制御する。第２制御部２２は、第２バス電圧検出部２２１、系統電流・電圧検出部２２３、第２通信部２２４、第２電圧指令値決定部２２５及び第２駆動部２２６を含む。第２制御部２２の構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００１９】
第２バス電圧検出部２２１は、直流バス３０の電圧を検出して第２電圧指令値決定部２２５に出力する。系統電流・電圧検出部２２３は、第２電力変換装置２０と系統３間を繋ぐ配電線の電流および電圧を検出する。当該配電線には負荷４が接続され、負荷４の使用状態により当該配電線に流れる電流が変化する。当該配電線の電圧は、停電にならない限り系統３の電圧で規定される。
【００２０】
第２通信部２２４は、第１電力変換装置１０の第１通信部１２４と通信する。上述のように両者は通信線４０で接続される。
【００２１】
第２電圧指令値決定部２２５は、予め設定された直流バス電圧の目標値と、第２バス電圧検出部２２１により検出されるバス電圧との差分をもとに電圧指令値を生成する。当該目標値は、系統電圧（例えば、ＡＣ２００Ｖ）より高い電圧であって、できるだけ系統電圧に近い値に設定される。例えば、ＤＣ３２０Ｖに設定される。直流バス３０の電圧と系統電圧の差が小さいほどインバータ２１（具体的にはスイッチング素子）での変換損失が少なく、高効率な電力変換が可能となる。
【００２２】
第２電圧指令値決定部２２５は、上記目標値と検出されたバス電圧の差分にもとづく電圧指令値と、系統電流・電圧検出部２２３により検出された配電線の電圧との差分をもとに最終的な電圧指令値を生成し、第２駆動部２２６に出力する。第２駆動部２２６は当該電圧指令値をもとに駆動信号を生成し、インバータ２１のデューティ制御用のスイッチング素子を駆動する。
【００２３】
以上が第１電力変換装置１０及び第２電力変換装置２０の基本処理である。当該基本処理は、太陽電池２の最大電力点の動作電圧が、ＤＣ−ＤＣコンバータ１１による昇圧可能な電圧範囲内の場合を想定している。これに対して、太陽電池２の最大電力点の動作電圧が、ＤＣ−ＤＣコンバータ１１の昇圧制御可能な電圧範囲より上にある場合、ＤＣ−ＤＣコンバータ１１が太陽電池２の動作電圧を、最大電力点まで制御できなくなる。この場合、太陽電池２の発電能力がフルに発揮できない状態となる。これに対して、制御可能な電圧範囲が広いＤＣ−ＤＣコンバータ１１を使用することが考えられるが、高耐圧のＤＣ−ＤＣコンバータ１１を使用する必要があり、コスト及び回路面積が増加する。
【００２４】
図２は、実施の形態１に係る太陽電池２のＰ−Ｖ特性の一例を示す図である。図２に示すＰ−Ｖ特性では、太陽電池２の最大電力点の動作電圧が、ＤＣ−ＤＣコンバータ１１の電圧制御範囲を超えている。そこで実施の形態１では、第２制御部２２がインバータ２１のバス電圧の目標値を、最大電力点の動作電圧に制御する。これにより太陽電池２の最大電力点の動作電圧が、ＤＣ−ＤＣコンバータ１１の電圧制御範囲を超える場合でも、太陽電池２を最大電力点で動作させることができる。以下、この制御を実現するための具体的な処理を説明する。
【００２５】
図３は、実施の形態１の実施例１に係るＤＣ−ＤＣコンバータ１１及びインバータ２１の制御方法を示すフローチャートである。第２制御部２２の第２通信部２２４は、直流バス３０の電圧の目標値（デフォルト値または系統電圧から算出される目標値）を通信線４０を介して第１制御部１２の第１通信部１２４に通知する（Ｓ１０）。なお当該目標値を第１制御部１２が予め保持している場合、当該通知ステップは省略される。以下の説明では、直流バス３０の電圧の基準となる目標値として、デフォルト値を使用する例を示す。なお当該目標値に系統電圧から算出される目標値を使用してもよい。
【００２６】
第１電力変換装置１０の入力電流・電圧検出部１２１は、ＤＣ−ＤＣコンバータ１１の入力電流および入力電圧を検出し、太陽電池２の発電電力を計測する（Ｓ１１）。第１電圧指令値決定部１２５は太陽電池２の動作点電圧と、バス電圧の目標値を比較する（Ｓ１２）。動作点電圧がバス電圧の目標値以下の場合（Ｓ１２のＮ）、ＭＰＰＴ制御部１２２は、太陽電池２の動作点電圧を山登り法に従い１ステップ移動（増加または減少）させる（Ｓ１３）。ＭＰＰＴ制御部１２２は太陽電池２の最大電力点を検出したか否か判定する（Ｓ１４）。例えば、ある動作点を超えて次にその動作点に戻る往復移動したとき、当該動作点を最大電力点として検出する。
【００２７】
最大電力点に到達していない場合（Ｓ１４のＮ）、ステップＳ１１に戻る。最大電力点が検出された場合（Ｓ１４のＹ）、第１制御部１２の第１通信部１２４は、最大電力点の検出を通信線４０を介して第２制御部２２の第２通信部２２４に通知する（Ｓ１８）。第２制御部２２の第２電圧指令値決定部２２５は、バス電圧の目標値をデフォルト値に維持する（Ｓ１９）。第１制御部１２の第１電圧指令値決定部１２５は、検出された最大電力点の動作電圧をもとに電圧指令値を設定する（Ｓ１１０）。
【００２８】
ステップＳ１２において、太陽電池２の動作点電圧がバス電圧の目標値より高い場合（Ｓ１２のＹ）、第１制御部１２の第１通信部１２４は、当該動作点電圧を含む比較結果を通信線４０を介して第２制御部２２の第２通信部２２４に通知する（Ｓ１５）。第２制御部２２の第２電圧指令値決定部２２５はバス電圧の目標値を、取得した動作点電圧を初期値としたＭＰＰＴ制御により決定する（Ｓ１６）。第１制御部１２の第１電圧指令値決定部１２５は、ＤＣ−ＤＣコンバータ１１の動作を停止させ、入力電力を単純に通過させる（Ｓ１７）。
【００２９】
図４は、実施の形態１の実施例２に係るＤＣ−ＤＣコンバータ１１及びインバータ２１の制御方法を示すフローチャートである。第１電力変換装置１０の入力電流・電圧検出部１２１は、ＤＣ−ＤＣコンバータ１１の入力電流および入力電圧を検出し、太陽電池２の発電電力を計測する（Ｓ２０）。第１制御部１２の第１通信部１２４は、太陽電池２の動作点電圧を通信線４０を介して第２制御部２２の第２通信部２２４に通知する（Ｓ２１）。ＭＰＰＴ制御部１２２は、太陽電池２の動作点電圧を山登り法に従い１ステップ移動（増加または減少）させる（Ｓ２２）。ＭＰＰＴ制御部１２２は太陽電池２の最大電力点を検出したか否か判定する（Ｓ２３）。
【００３０】
最大電力点に到達していない場合（Ｓ２３のＮ）、ステップＳ２０に戻る。最大電力点が検出された場合（Ｓ２３のＹ）、第１電圧指令値決定部１２５は、検出された最大電力点の動作電圧をもとに電圧指令値を設定する（Ｓ２８）。
【００３１】
第２制御部２２の第２電圧指令値決定部２２５は、取得した太陽電池２の動作点電圧と、バス電圧の目標値（デフォルト値）を比較する（Ｓ２４）。動作点電圧がバス電圧の目標値以下の場合（Ｓ２４のＮ）、第２電圧指令値決定部２２５は、バス電圧の目標値をデフォルト値に維持する（Ｓ２９）。
【００３２】
ステップＳ２４において、動作点電圧がバス電圧の目標値より高い場合（Ｓ２４のＹ）、第２制御部２２の第２通信部２２４は、当該比較結果を通信線４０を介して第１制御部１２の第１通信部１２４に通知する（Ｓ２５）。第１制御部１２の第１電圧指令値決定部１２５は、ＤＣ−ＤＣコンバータ１１の動作を停止させ、入力電力を単純に通過させる（Ｓ２６）。第２制御部２２の第２電圧指令値決定部２２５はバス電圧の目標値を、ＭＰＰＴ制御により決定する（Ｓ２７）。
【００３３】
以上説明したように実施の形態１によれば、太陽電池２の最大電力点の動作電圧が、ＤＣ−ＤＣコンバータ１１の昇圧不能な領域に存在する場合でも、インバータ２１により当該動作電圧までバス電圧を昇圧させることにより、太陽電池２の最大電力点を追従し続けることができる。従って太陽電池２から電力変換システム１に入力される電圧範囲の全領域において最大電力点で発電させることができ、太陽電池２の発電能力を常時、フルに活用することができる。
【００３４】
実施の形態１のように分離型の電力変換システム１では、第１電力変換装置１０と第２電力変換装置２０間でバス電圧の目標値の協調が必要になる。実施例１は最大電力点の動作電圧とバス電圧の目標値との比較を第１電力変換装置１０（ＤＣ−ＤＣコンバータ側）で行い、実施例２は当該比較を第２電力変換装置２０（インバータ側）で行う構成である。前者は処理負荷が分散されるため、演算等による遅延が発生しにくい構成である。後者はインバータ側で目標値が一括管理されるため、外乱ノイズ等の影響によりＤＣ−ＤＣコンバータ側のバス電圧と、インバータ側のバス電圧にばらつきが発生することを防止することができる。
【００３５】
ところで近年、系統に接続される再生可能エネルギーを用いた発電装置（太陽光発電システム、風力発電システムなど）が増加してきており、パワーコンディショナに出力抑制機能が標準搭載されるようになってきている。太陽電池に接続されるパワーコンディショナでは、電気事業者から出力抑制を指示するデマンドレスポンス指令を受信した場合、系統電圧が設定値を上回った場合、パワーコンディショナの温度が設定値を上回った場合などに、系統への出力電力を抑制する。
【００３６】
系統への出力電力を抑制する方法には様々なものがあるが、ＭＰＰＴ制御機能を搭載した電力変換装置では、太陽電池の動作電圧を開放電圧Ｖｏｃに近づけることにより出力電力を抑制することができる。図２に示す例では、最大電力点から右側へ動作電圧をシフトすることにより出力電力を抑制することができる。
【００３７】
実施の形態１のようにＤＣ−ＤＣコンバータ１１に加えて、インバータ２１でも太陽電池２の動作電圧を制御可能な構成では、太陽電池２の動作電圧を全範囲に渡り制御可能である。従って太陽電池２の動作電圧を開放電圧Ｖｏｃに近づけることにより出力電力を抑制する処理を、正確に実行することができる。途中で出力電力を低下できなくなる事態が発生しない。
【００３８】
図５は、本発明の実施の形態２に係る電力変換システム１を説明するための図である。実施の形態１では太陽電池を集中型で構成する例を示したが、実施の形態２では太陽電池をマルチストリング型で構成する例を説明する。実施の形態２では複数の太陽電池ストリングが設けられる。図５では４つの太陽電池ストリング２ａ−２ｄが設けられる。また複数の太陽電池ストリング２ａ−２ｄごとに複数の第１電力変換装置１０ａ−１０ｄ（複数のＤＣ−ＤＣコンバータ１１ａ−１１ｄ）が設けられる。複数のＤＣ−ＤＣコンバータ１１ａ−１１ｄの出力側は１つに結合されて直流バス３０に接続される。
【００３９】
複数の第１電力変換装置１０ａ−１０ｄのそれぞれの構成および動作は、実施の形態１で説明した第１電力変換装置１０の構成および動作と基本的に同じである。実施の形態２に係る第２電力変換装置２０の構成および動作も、実施の形態１で説明した第２電力変換装置２０の構成および動作と基本的に同じである。以下、実施の形態１との相違点を説明する。
【００４０】
図６は、実施の形態２に係る複数の太陽電池ストリング２ａ−２ｄのＰ−Ｖ特性の一例を示す図である。図４に示すＰ−Ｖ特性では４つの太陽電池ストリング２ａ−２ｄの内、３つの太陽電池ストリングの最大電力点の動作電圧が、ＤＣ−ＤＣコンバータ１１の電圧制御範囲を超えている。
【００４１】
図７は、実施の形態２の実施例１に係るＤＣ−ＤＣコンバータ１１及びインバータ２１の制御方法を示すフローチャートである。当該フローチャートにおいて各第１制御部１２ａ−１２ｄはそれぞれ、図３のフローチャートのステップＳ１１−Ｓ１４と同様の処理を実行する。最大電力点を検出した（Ｓ１４のＹ）、太陽電池ストリングに接続された電力変換装置１０の第１制御部１２の第１通信部１２４は、最大電力点の検出を通信線４０を介して第２制御部２２の第２通信部２２４に通知する（Ｓ１８）。第２制御部２２の第２電圧指令値決定部２２５は、全ての太陽電池ストリングが最大電力点を検出した場合（Ｓ１８５のＹ）、バス電圧の目標値をデフォルト値に維持する（Ｓ１９）。少なくとも１台の太陽電池ストリングが最大電力点を検出していない場合（Ｓ１８５のＮ）、ステップＳ１６ａに遷移する。第１制御部１２の第１電圧指令値決定部１２５は、検出された最大電力点の動作電圧をもとに電圧指令値を設定する（Ｓ１１０）。
【００４２】
ステップＳ１２において、太陽電池ストリングの動作点電圧がバス電圧の目標値より高い場合（Ｓ１２のＹ）、第１制御部１２の第１通信部１２４は、当該動作点電圧と発電電力を含む比較結果を通信線４０を介して第２制御部２２の第２通信部２２４に通知する（Ｓ１５）。第２制御部２２の第２電圧指令値決定部２２５は、取得したデータの内、発電電力が最大の太陽電池ストリングの動作点電圧および発電電力をもとにＭＰＰＴ制御を行い、バス電圧の目標値を決定する（Ｓ１６ａ）。第１制御部１２の第１電圧指令値決定部１２５は、ＤＣ−ＤＣコンバータ１１の動作を停止させ、入力電力を単純に通過させる（Ｓ１７）。図６に示す例では、上から２番目のＰ−Ｖ特性を持つ太陽電池ストリングの最大電力点の動作電圧を設定する。
【００４３】
図８は、実施の形態２の実施例２に係るＤＣ−ＤＣコンバータ１１及びインバータ２１の制御方法を示すフローチャートである。当該フローチャートにおいて各第１制御部１２ａ−１２ｄはそれぞれ、図４のフローチャートのステップＳ２０−Ｓ２３、Ｓ２８と基本的に同様の処理を実行する。なお図８のフローチャートのステップ２１ａでは、第１制御部１２の第１通信部１２４は、太陽電池ストリングの動作点電圧と発電電力を通信線４０を介して第２制御部２２の第２通信部２２４に通知する（Ｓ２１ａ）。
【００４４】
ステップＳ２４において第２制御部２２の第２電圧指令値決定部２２５は、複数の第１制御部１２ａ−１２ｄから取得した太陽電池ストリングの動作点電圧とバス電圧の目標値（デフォルト値）を比較する（Ｓ２４）。太陽電池ストリングの動作点電圧がバス電圧の目標値より高い第１電力変換装置１０に対して（Ｓ２４のＹ）、第２制御部２２の第２通信部２２４は、当該比較結果を通信線４０を介して第１制御部１２の第１通信部１２４に通知する（Ｓ２５）。通知を受けた第１制御部１２の第１電圧指令値決定部１２５は、ＤＣ−ＤＣコンバータ１１の動作を停止させ、入力電力を単純に通過させる（Ｓ２６）。第２制御部２２の第２電圧指令値決定部２２５は、複数の第１制御部１２ａ−１２ｄから取得したデータの内、発電電力が最大の太陽電池ストリングの動作点電圧および発電電力をもとにＭＰＰＴ制御を行い、バス電圧の目標値を決定する（Ｓ２７ａ）。
【００４５】
ステップＳ２４の比較において、全ての太陽電池ストリングの動作点電圧がバス電圧の目標値（デフォルト値）以下の場合（Ｓ２４のＮ、Ｓ２８５のＹ）、バス電圧の目標値をデフォルト値に維持する（Ｓ２９）。少なくとも１台の太陽電池ストリングの動作点電圧がバス電圧の目標値（デフォルト値）より高い場合（Ｓ２８５のＮ）、ステップＳ２７ａに遷移する。
【００４６】
以上説明したように実施の形態２によれば、太陽電池がマルチストリング型の場合であっても、バス電圧の目標値（デフォルト値）より高い、最大電力点の動作電圧の内、最も高い最大電力点の動作電圧をバス電圧の目標値に設定することにより、実施の形態１の効果と同様の効果を奏する。
【００４７】
図７、８のフローチャートでは、バス電圧の目標値（デフォルト値）より高い、最大電力点の動作電圧の内、最も高い最大電力点の動作電圧をバス電圧の目標値に設定したが、バス電圧の目標値（デフォルト値）より高い、複数の最大電力点の動作電圧の平均値または中央値をバス電圧の目標値に設定してもよい。
【００４８】
また図７、８のフローチャートでは、最大電力点の動作電圧がバス電圧の目標値（デフォルト値）より高い第１電力変換装置１０が存在する場合であっても、最大電力点の動作電圧がバス電圧の目標値（デフォルト値）以下の第１電力変換装置１０ではＤＣ−ＤＣコンバータ１１の動作を停止させなかった。この点、最大電力点の動作電圧がバス電圧の目標値（デフォルト値）より高い第１電力変換装置１０が存在する場合、複数のＤＣ−ＤＣコンバータ１１ａ−１１ｄを一律に停止させてもよい。一律に停止させる制御を用いた場合、系統３からの外乱ノイズにより、各装置間の直流バス３０の電圧にばらつきが発生することを防止することができる。
【００４９】
また最大電力点の動作電圧がバス電圧の目標値（デフォルト値）より高い第１電力変換装置１０が存在する場合において、最大電力点の動作電圧がバス電圧の目標値（デフォルト値）以下の第１電力変換装置１０のＤＣ−ＤＣコンバータ１１の動作を停止させるか否かを以下のように決定してもよい。例えば、当該ＤＣ−ＤＣコンバータ１１の動作を停止させた場合と停止させない場合のそれぞれについて、インバータ２１の出力電力を計測し、値が大きい方の制御を選択する。インバータ２１の出力電力は、系統電流・電圧検出部２２３により検出されるインバータ２１の出力電流および系統電圧をもとに計測される。
【００５０】
図９は、実施の形態２の変形例に係るＤＣ−ＤＣコンバータ１１及びインバータ２１の制御方法を示すフローチャートである。当該フローチャートにおいて各第１制御部１２ａ−１２ｄはそれぞれ、図３のフローチャートのステップＳ１１−Ｓ１５、Ｓ１７、Ｓ１８、Ｓ１１０と同様の処理を実行する。図９のフローチャートは、図３のフローチャートとステップＳ１６の処理が異なる。
【００５１】
第２制御部２２の第２電圧指令値決定部２２５は、少なくとも１台の第１電力変換装置１０の第１制御部１２から太陽電池ストリングの動作点電圧を取得すると、インバータ２１の出力電力が最大化されるようにバス電圧の目標値を決定する（Ｓ１６ｂ）。具体的には、系統電流・電圧検出部２２３により検出されるインバータ２１の出力電流および系統電圧をもとにインバータ２１の出力電力を計測し、第２電圧指令値決定部２２５は、第２駆動部２２６に供給する電圧指令値を１ステップ移動（増加または減少）させる。第２電圧指令値決定部２２５はインバータ２１の出力電力の最大電力点を検出したか否か判定する。例えば、ある動作点を超えて次にその動作点に戻る往復移動したとき、当該動作点をインバータ２１の最大電力点として検出する。最大電力点が検出されると、第２電圧指令値決定部２２５は最大電力点を検出したときの電圧指令値をバス電圧の目標値に決定する。
【００５２】
当該変形例によれば、最大電力点の動作電圧がバス電圧の目標値（デフォルト値）より高い第１電力変換装置１０が存在する場合において、インバータ２１の出力電力を監視することにより、最適なバス電圧の目標値を決定することができる。
【００５３】
図１０は、本発明の実施の形態３に係る電力変換システム１を説明するための図である。実施の形態３では蓄電部５及び第３電力変換装置５０が追加される。蓄電部５は、リチウムイオン蓄電池、ニッケル水素蓄電池、鉛蓄電池、電気二重層キャパシタ、又はリチウムイオンキャパシタ等を含んで構成される。
【００５４】
第３電力変換装置５０は第３ＤＣ−ＤＣコンバータ５１及び第３制御部５２を備える。第３ＤＣ−ＤＣコンバータ５１は、蓄電部５と直流バス３０の間に接続され、蓄電部５を充放電する。第３制御部５２は所定の電圧指令値をもとに第３ＤＣ−ＤＣコンバータ５１を制御して蓄電部５を定電圧（ＣＶ）充電／放電する。また第３制御部５２は所定の電流指令値をもとに第３ＤＣ−ＤＣコンバータ５１を制御して蓄電部５を定電流（ＣＣ）充電／放電する。第３制御部５２は、第１制御部１２及び第２制御部２２と通信線４０で接続される。
【００５５】
図１０の第１電力変換装置１０と第２電力変換装置２０間において、上述した実施の形態１に係る制御を行うことができる。また第２制御部２２は、太陽電池２の最大電力点の動作電圧がバス電圧の目標値（デフォルト値）より高い場合において、インバータ２１の出力電力が最大になるようバス電圧の目標値を決定してもよい。また蓄電部５が充電中は、インバータ２１の出力電力と第３ＤＣ−ＤＣコンバータ５１の充電電力の和が、最大になるようバス電圧の目標値を決定してもよい。第３ＤＣ−ＤＣコンバータ５１の充電電力は第３制御部５２から通信線４０を介して第２制御部２２が取得する。なお蓄電部５の放電中または停止中は、インバータ２１の出力電力が最大になるようバス電圧の目標値を決定する。
【００５６】
なお図１０では太陽電池が集中型の例を描いているが、ストリング型であってもよい。その場合、複数の第１電力変換装置１０ａ−１０ｄと第２電力変換装置２０間において、上述した実施の形態２に係る制御を行うことができる。また上述したインバータ２１の出力電力、またはインバータ２１の出力電力と第３ＤＣ−ＤＣコンバータ５１の充電電力の和を最大化する制御を行うこともできる。
【００５７】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００５８】
図１から図１０では分離型の電力変換システム１を説明したが、上述の実施の形態１−３に係る制御は、図１１に示すようにＤＣ−ＤＣコンバータ１１、インバータ２１及び、両者を制御する制御部１２を一つの筐体に設置した一体型の電力変換システム１にも適用可能である。なお蓄電部５が設置される構成では、同一筐体内に第３ＤＣ−ＤＣコンバータ５１も設置される。
【００５９】
なお、実施の形態は、以下の項目によって特定されてもよい。
【００６０】
［項目１］
太陽電池（２）から供給される直流電力を別の電圧の直流電力に変換し、当該直流電力を直流バス（３０）に出力するＤＣ−ＤＣコンバータ（１１）と、
前記直流バス（３０）から入力される直流電力を交流電力に変換し、当該交流電力を系統（３）に出力するインバータ（２１）と、
前記太陽電池（２）の出力電力が最大になるよう前記ＤＣ−ＤＣコンバータ（１１）を制御するとともに、前記直流バス（３０）の電圧が目標電圧を維持するよう前記インバータ（２１）を制御する制御部（１２ and/or  ２２）と、を備え、
前記制御部（１２ and/or  ２２）は、前記太陽電池（２）の動作点電圧が、前記直流バス（３０）の予め設定された目標電圧より高い場合、前記直流バス（３０）の目標電圧として前記動作点電圧を使用することを特徴とする電力変換システム（１）。
これによれば、太陽電池（２）の最大動作点電圧が、直流バス（３０）の予め設定された目標電圧より高い場合でも、太陽電池（２）の出力電圧範囲の全領域に渡り最大動作点を追従し続けることができる。
［項目２］
前記太陽電池（２）は、複数の太陽電池ストリング（２ａ−２ｄ）を有し、
前記ＤＣ−ＤＣコンバータ（１１）は、入力側が前記複数の太陽電池ストリング（２ａ−２ｄ）にそれぞれ接続され、出力側が前記直流バス（３０）に共通に接続された複数のＤＣ−ＤＣコンバータ（１１ａ−１１ｄ）を有し、
前記制御部（１２ and/or  ２２）は、前記太陽電池ストリング（２ａ−２ｄ）の動作点電圧の内、前記直流バス（３０）の予め設定された目標電圧より高い動作点電圧が複数ある場合、当該複数の動作点電圧のうち最も高い動作点電圧を前記直流バス（３０）の目標電圧として使用することを特徴とする項目１に記載の電力変換システム（１）。
これによれば、少なくとも１つの太陽電池ストリング（２ｂ）の最大動作点電圧が、直流バス（３０）の予め設定された目標電圧より高い場合でも、太陽電池ストリング（２ｂ）の出力電圧範囲の全領域に渡り最大動作点を追従し続けることができる。
［項目３］
前記制御部（１２ and/or  ２２）は、前記太陽電池ストリング（２ａ−２ｄ）の動作点電圧の内、前記直流バス（３０）の予め設定された目標電圧より高い動作点電圧がある場合、少なくとも１つのＤＣ−ＤＣコンバータ（１１ａ−１１ｄ）の昇圧動作を停止させることを特徴とする項目２に記載の電力変換システム（１）。
これによれば、昇圧する必要のないＤＣ−ＤＣコンバータ（１１ａ−１１ｄ）の動作を停止させることにより、ＤＣ−ＤＣコンバータ（１１ａ−１１ｄ）の変換損失を低減することができる。
［項目４］
第１電力変換装置（１０）と第２電力変換装置（２０）を備える電力変換システム（１）であって、
前記第１電力変換装置（１０）は、
太陽電池（２）から供給される直流電力を別の電圧の直流電力に変換し、当該直流電力を直流バス（３０）に出力するＤＣ−ＤＣコンバータ（１１）と、
前記太陽電池（２）の出力電力が最大になるよう前記ＤＣ−ＤＣコンバータ（１１）を制御する第１制御部（１２）と、を有し、
前記第２電力変換装置（２０）は、
前記直流バス（３０）から入力される直流電力を交流電力に変換し、当該交流電力を系統（３）に出力するインバータ（２１）と、
前記直流バス（３０）の電圧が目標電圧を維持するよう前記インバータ（２１）を制御する第２制御部（２２）と、を有し、
前記第１電力変換装置（１０）の第１制御部（１２）と前記第２電力変換装置（２０）の第２制御部（２２）との間は通信線（４０）で接続されており、
前記第２制御部（２２）は、前記太陽電池（２）の動作点電圧が、前記直流バス（３０）の予め設定された目標電圧より高い場合、前記直流バス（３０）の目標電圧として前記動作点電圧を使用することを特徴とする電力変換システム（１）。
これによれば、分離型の電力変換システム（１）において、太陽電池（２）の最大動作点電圧が、直流バス（３０）の予め設定された目標電圧より高い場合でも、太陽電池（２）の出力電圧範囲の全領域に渡り、最大動作点を追従し続けることができる。
［項目５］
前記第１制御部（１２）は、前記太陽電池（２）の動作点電圧と、前記直流バス（３０）の予め設定された目標電圧とを比較し、当該動作点電圧が当該目標電圧より高い場合、当該動作点電圧を前記第２制御部（２２）に通知することを特徴とする項目４に記載の電力変換システム（１）。
これによれば、処理負荷を第１制御部（１２）と第２制御部（２２）とで分散させることができ、演算等による遅延を回避することができる。
［項目６］
前記第１制御部（１２）は、前記太陽電池（２）の動作点電圧を前記第２制御部（２２）に通知し、
前記第２制御部（２２）は、前記第１制御部（１２）から取得した動作点電圧と、前記直流バス（３０）の予め設定された目標電圧とを比較することを特徴とする項目４に記載の電力変換システム（１）。
これによれば、直流バス（３０）の目標電圧を第２制御部（２２）で一括管理することにより、外乱などに対する全体動作の影響を低減することができる。
［項目７］
前記第１制御部（１２）は、前記太陽電池（２）の動作点電圧が、前記直流バス（３０）の予め設定された目標電圧より高い場合、前記ＤＣ−ＤＣコンバータ（１１）の昇圧動作を停止させることを特徴とする項目５または６に記載の電力変換システム（１）。
これによれば、ＤＣ−ＤＣコンバータ（１１）の変換損失を低減することができる。
［項目８］
太陽電池（２）から供給される直流電力を別の電圧の直流電力に変換し、当該直流電力を直流バス（３０）に出力するＤＣ−ＤＣコンバータ（１１）と、
前記直流バス（３０）から入力される直流電力を交流電力に変換し、当該交流電力を系統（３）に出力するインバータ（２１）と、
前記太陽電池（２）の出力電力が最大になるよう前記ＤＣ−ＤＣコンバータ（１１）を制御するとともに、前記直流バス（３０）の電圧が目標電圧を維持するよう前記インバータ（２１）を制御する制御部（１２ and/or  ２２）と、を備え、
前記制御部（１２ and/or  ２２）は、前記太陽電池（２）の動作点電圧が、前記直流バス（３０）の予め設定された目標電圧より高い場合、前記インバータ（２１）の出力電力が最大になるよう前記直流バス（３０）の目標電圧を決定することを特徴とする電力変換システム（１）。
これによれば、太陽電池（２）の最大動作点電圧が、直流バス（３０）の予め設定された目標電圧より高い場合において、高効率な直流バス（３０）の目標電圧を設定することができる。
［項目９］
太陽電池（２）から供給される直流電力を別の電圧の直流電力に変換し、当該直流電力を直流バス（３０）に出力する第１ＤＣ−ＤＣコンバータ（１１）と、
蓄電部（５）と前記直流バス（３０）の間に接続され、前記蓄電部（５）を充放電する第２ＤＣ−ＤＣコンバータ（５１）と、
前記直流バス（３０）から入力される直流電力を交流電力に変換し、当該交流電力を系統（３）に出力するインバータ（２１）と、
前記太陽電池（２）の出力電力が最大になるよう前記ＤＣ−ＤＣコンバータ（１１）を制御するとともに、前記直流バス（３０）の電圧が目標電圧を維持するよう前記インバータ（２１）を制御する制御部（１２ and/or  ２２）と、を備え、
前記制御部（１２ and/or  ２２）は、前記太陽電池（２）の動作点電圧が、前記直流バス（３０）の予め設定された目標電圧より高い場合、前記インバータ（２１）の出力電力、または前記インバータ（２１）の出力電力と前記蓄電部（５）の充電電力の和が最大になるよう前記直流バス（３０）の目標電圧を決定することを特徴とする電力変換システム（１）。
これによれば、蓄電部（５）が併設された太陽電池（２）の最大動作点電圧が、直流バス（３０）の予め設定された目標電圧より高い場合において、高効率な直流バス（３０）の目標電圧を設定することができる。
［項目１０］
直流バス（３０）から入力される直流電力を交流電力に変換し、当該交流電力を系統（３）に出力するインバータ（２１）を有する第２電力変換装置（２０）と接続される第１電力変換装置（１０）であって、
太陽電池（２）から供給される直流電力を別の電圧の直流電力に変換し、当該直流電力を前記直流バス（３０）に出力するＤＣ−ＤＣコンバータ（１１）と、
前記太陽電池（２）の出力電力が最大になるよう前記ＤＣ−ＤＣコンバータ（１１）を制御する第１制御部（１２）と、を備え、
前記第１制御部（１２）は、
前記直流バス（３０）の電圧が目標電圧を維持するよう前記インバータ（２１）を制御し、前記太陽電池（２）の動作点電圧が、前記直流バス（３０）の予め設定された目標電圧より高い場合、前記直流バス（３０）の目標電圧として前記動作点電圧を使用する、前記第２電力変換装置（２０）の第２制御部（２２）と通信線（４０）で接続されることを特徴とする電力変換装置（１０）。
これによれば、太陽電池（２）の最大動作点電圧が、直流バス（３０）の予め設定された目標電圧より高い場合でも、太陽電池（２）の出力電圧範囲の全領域に渡り最大動作点を追従し続けることができる。
［項目１１］
太陽電池（２）から供給される直流電力を別の電圧の直流電力に変換し、当該直流電力を直流バス（３０）に出力するＤＣ−ＤＣコンバータ（１１）と、前記太陽電池（２）の出力電力が最大になるよう前記ＤＣ−ＤＣコンバータ（１１）を制御する第１制御部（１２）と、を有する第１電力変換装置（１０）に接続される第２電力変換装置（２０）であって、
前記直流バス（３０）から入力される直流電力を交流電力に変換し、当該交流電力を系統（３）に出力するインバータ（２１）と、
前記直流バス（３０）の電圧が目標電圧を維持するよう前記インバータ（２１）を制御する第２制御部（２２）と、を備え、
前記第２電力変換装置（２０）の第２制御部（２２）は、前記第１電力変換装置（１０）の第１制御部（１２）と通信線（４０）で接続され、
前記第２制御部（２２）は、前記太陽電池（２）の動作点電圧が、前記直流バス（３０）の予め設定された目標電圧より高い場合、前記直流バス（３０）の目標電圧として前記動作点電圧を使用することを特徴とする電力変換装置（２０）。
これによれば、太陽電池（２）の最大動作点電圧が、直流バス（３０）の予め設定された目標電圧より高い場合でも、太陽電池（２）の出力電圧範囲の全領域に渡り最大動作点を追従し続けることができる。
【符号の説明】
【００６１】
１  電力変換システム、  ２  太陽電池、  ２ａ  第１太陽電池ストリング、  ２ｂ  第２太陽電池ストリング、  ２ｃ  第３太陽電池ストリング、  ２ｄ  第４太陽電池ストリング、  ３  系統、  ４  負荷、  ５  蓄電部、  １０  第１電力変換装置、  １１  ＤＣ−ＤＣコンバータ、  １２  第１制御部、  １２１  入力電流・電圧検出部、  １２２  ＭＰＰＴ制御部、  １２３  第１バス電圧検出部、  １２４  第１通信部、  １２５  第１電圧指令値決定部、  １２６  第１駆動部、  ２０  第２電力変換装置、  ２１  インバータ、  ２２  第２制御部、  ２２１  第２バス電圧検出部、  ２２３  系統電流・電圧検出部、  ２２４  第２通信部、  ２２５  第２電圧指令値決定部、  ２２６  第２駆動部、  ３０  直流バス、  ４０  通信線、  ５０  第３電力変換装置、  ５１  第３ＤＣ−ＤＣコンバータ、  ５２  第３制御部。
【図１】
2017175826.tif 000003
【図２】
2017175826.tif 000004
【図３】
2017175826.tif 000005
【図４】
2017175826.tif 000006
【図５】
2017175826.tif 000007
【図６】
2017175826.tif 000008
【図７】
2017175826.tif 000009
【図８】
2017175826.tif 000010
【図９】
2017175826.tif 000011
【図１０】
2017175826.tif 000012
【図１１】
2017175826.tif 000013